(57)【要約】【課題】  定量吐出容器において、容器内の残液量によらず、定量吐出できるようにすること。【解決手段】  密閉された容器１１内に計量筒１２を設けるとともに、計量筒１２の計量室１２Ａを外部に連通する吐出筒１３を設け、計量筒１２は、容器１１を立てたときに容器１１に充填された液体が容器１１内から該計量筒１２の計量室１２Ａに流入するように該計量筒１２の上下方向に沿って形成された連絡孔１４Ａ、１４Ｂとを備えてなる定量吐出容器１０であって、容器１１内において、計量筒１２の連絡孔１４Ａ、１４Ｂの前面から側方に渡って遮蔽する遮蔽カバー１５を設け、遮蔽カバー１５は、計量筒１２との間に、容器１１内に連通する間隔１６を形成してなるもの。【選択図】  図２
2008030772.tif 000002
【特許請求の範囲】
【請求項１】
密閉された容器内に計量筒を設けるとともに、計量筒の計量室から外部に連通する吐出筒を設け、
計量筒は、容器を立てたときに容器に充填された液体が容器内から該計量筒の計量室に流入するように該計量筒の上下方向に沿って形成された連絡孔とを備えてなる定量吐出容器であって、
容器内において、計量筒の連絡孔の前面から側方に渡って遮蔽する遮蔽カバーを設け、
遮蔽カバーは計量筒との間に容器内に連通する間隔を形成してなる定量吐出容器。
【請求項２】
密閉された容器内に計量筒を設けるとともに、計量筒の計量室から外部に連通する吐出筒を設け、
計量筒は、容器を立てたときに容器に充填された液体が容器内から該計量筒の計量室に流入するように該計量筒の上下方向に沿って形成された連絡孔とを備えてなる定量吐出容器であって、
計量筒を囲む付加筒を容器内に設け、
付加筒は、容器を立てたときに容器に充填された液体が容器内から該付加筒の付加室に流入するように該付加筒の上下方向に沿って形成された連絡孔を備え、
付加筒の連絡孔を計量筒の周方向において該計量筒の連絡孔と異なる位置に配置してなる定量吐出容器。
【請求項３】
前記容器を立てたときに、付加筒の連絡孔の最上部を計量筒の連絡孔の最上部よりも上位に配置してなる請求項２に記載の定量吐出容器。
【請求項４】
前記計量筒の上端部が該計量筒の連絡孔の最上部よりも上位にまで延在されてなる請求項１〜３のいずれかに記載の定量吐出容器。
【発明の詳細な説明】
【技術分野】
【０００１】
本発明は定量吐出容器に関する。
【背景技術】
【０００２】
定量吐出容器として、図８、図９に示す如く、密閉された容器１内に計量筒２を設けるとともに、計量筒２の計量室２Ａを外部に連通する吐出筒３を設け、計量筒２は、容器１を立てたときに容器１に充填された液体が容器１内から該計量筒２の計量室２Ａに流入するように該計量筒２の上下方向に沿って形成された上下の連絡孔４Ａ、４Ｂを備えてなるものがある（特許文献１）。
【０００３】
定量吐出容器にあっては、計量筒２の計量室２Ａが空の状態で容器１を立てると、上連絡孔４Ａと下連絡孔４Ｂの間の圧力水頭差によって上連絡孔４Ａから容器１内に空気が流入し、同時に容器１内の液体が下連絡孔４Ｂから計量室２Ａに流入する。計量室２Ａに流入した液体の液面が上昇して上連絡孔４Ａを塞ぐと、容器１内への空気の流入がなくなり、同時に下連絡孔４Ｂから計量室２Ａへの液体の流入も止まる。これによって、上連絡孔４Ａの最上部のレベルにより決まる一定量の液体が計量室２Ａに計量される。
【０００４】
容器１を傾けると、計量室２Ａに溜まっている一定量の液体が吐出筒３から外部に吐出される。このとき、上連絡孔４Ａと下連絡孔４Ｂが容器１内の液体により塞がれていれば、容器１の傾きによって上連絡孔４Ａと下連絡孔４Ｂの圧力水頭差は小さく、上連絡孔４Ａ又は下連絡孔４Ｂから容器１内への空気の流入はなく、容器１内の液体が計量室２Ａに流入することがなく、吐出筒３からの吐出量は一定量になる。
【０００５】
計量室２Ａに溜まっていた一定量の液体が吐出された後、容器１を立てると、再び上連絡孔４Ａから容器１内に空気が流入し、容器１内の液体が下連絡孔４Ｂから計量室２Ａに流入し、一定量の液体が計量室２Ａに計量される。
【特許文献１】特開平10-53265
【発明の開示】
【発明が解決しようとする課題】
【０００６】
しかしながら、特許文献１の定量吐出容器には以下の問題点がある。
(1)容器１を傾けて計量室２Ａに計量してある液体を吐出筒３から吐出するに際し、容器１の残液量が図８（Ａ）に示す如くに多いと、容器１の残液レベルが上連絡孔４Ａに下がるまで、上連絡孔４Ａと下連絡孔４Ｂの間の圧力水頭差により下連絡孔４Ｂから容器１内へ空気が流入し、同時に容器１内の液体が図８（Ｂ）に示す如くに上連絡孔４Ａから計量室２Ａに追加的に流入して吐出筒３から吐出するものになる。このため、吐出筒３からの吐出量が予め計量室２Ａに計量した量を越え、定量吐出できなくなる。
【０００７】
(2)容器１を傾けて計量室２Ａに計量してある液体を吐出筒３から吐出するに際し、傾けた容器１の空間に上連絡孔４Ａが露出する程度に容器１の残液量が図９（Ａ）に示す如くに少ないと、計量室２Ａの残液レベルが上連絡孔４Ａ以下に下がるまで、計量室２Ａの計量済液体の一部が上連絡孔４Ａから容器１の内部に戻る。このため、吐出筒３からの吐出量が予め計量室２Ａに計量した量より少なく、定量吐出できなくなる。
【０００８】
本発明の課題は、定量吐出容器において、容器内の残液量によらず、定量吐出できるようにすることにある。
【課題を解決するための手段】
【０００９】
請求項１の発明は、密閉された容器内に計量筒を設けるとともに、計量筒の計量室から外部に連通する吐出筒を設け、計量筒は、容器を立てたときに容器に充填された液体が容器内から該計量筒の計量室に流入するように該計量筒の上下方向に沿って形成された連絡孔とを備えてなる定量吐出容器であって、容器内において、計量筒の連絡孔の前面から側方に渡って遮蔽する遮蔽カバーを設け、遮蔽カバーは計量筒との間に容器内に連通する間隔を形成してなるようにしたものである。
【発明を実施するための最良の形態】
【００１０】
（実施例１）（図１〜図３、図７）
実施例１の定量吐出容器１０は、図１〜図３に示す如く、密閉された容器１１内に計量筒１２を設けるとともに、計量筒１２の計量室１２Ａから外部に連通する吐出筒１３を設けている。計量筒１２は、容器１１を立てたときに容器１１に充填された液体が容器１１内から該計量筒１２の計量室１２Ａに流入するように該計量筒１２の上下方向に沿って形成された上下の連絡孔１４Ａ、１４Ｂを備える。
【００１１】
定量吐出容器１０は、容器１１の内部において、計量筒１２の連絡孔１４Ａ、１４Ｂの前面から側方に渡って遮蔽する、好ましくは円弧状に形成された遮蔽カバー１５を設ける。遮蔽カバー１５は計量筒１２との間に、遮蔽カバー１５に沿う少なくとも外縁側、本実施例では両外縁側と上端側の３方で容器１１内に連通する間隔１６を形成している。遮蔽カバー１５は好ましくは、計量筒１２の外周に沿う概ね半周程度に設けられる。遮蔽カバー１５は計量筒１２の外周に沿う全周に設けられても良い。
【００１２】
定量吐出容器１０は、計量筒１２の上端部が、計量筒１２の連絡孔１４Ａ、１４Ｂの最上部、換言すれば上連絡孔１４Ａの最上部よりも上位にまで延在されている。図７（Ａ）は計量筒１２の上端部にこの延在がない例であり、容器１１を傾けたときに、計量室１２Ａの計量済の液体が上連絡孔１４Ａから容器１１内に戻るおそれがあることを示す。図７（Ｂ）は計量筒１２の上端部にこの延在を設けた例であり、計量室１２Ａの計量済の液体が上連絡孔１４Ａから容器１１内に戻る機会がなくなることを示す。
【００１３】
定量吐出容器１０は、容器１１を傾けるときに、連絡孔１４Ａ、１４Ｂを上方天面側に位置させて吐出させるために、吐出筒１３の吐出口１３Ａは、容器１１の傾き方向を誘導するように吐出方向を示す形状が好ましく、本実施形態では、吐出口１３Ａの先端は、周方向における吐出方向側を高く、連絡孔１４Ａ、１４Ｂの側が低くなるテーパー面となっている。
【００１４】
定量吐出容器１０は以下の如くに使用される。
(1)計量筒１２の計量室１２Ａを空の状態で容器１１を立てると、図２に示す如く、上連絡孔１４Ａと下連絡孔１４Ｂの間の圧力水頭差によって上連絡孔１４Ａから、計量筒１２と遮蔽カバー１５の間隔１６を介して、容器１１内に空気が流入し、同時に容器１１内の液体が、計量筒１２と遮蔽カバー１５の間隔１６を介して、下連絡孔１４Ｂから計量室１２Ａに流入する。計量室１２Ａに流入した液体の液面が上昇して上連絡孔１４Ａを塞ぐと、容器１１内への空気の流入がなくなり、同時に下連絡孔１４Ｂから計量室１２Ａへの液体の流入も止まる。これによって、上連絡孔１４Ａの最上部のレベルにより決まる一定量の液体が計量室１２Ａに計量される。
【００１５】
(2)容器１１を傾け、図３に示す如く、計量室１２Ａに計量した一定量の液体を吐出筒１３から外部に吐出する。このとき、吐出筒１３の内径又は断面積は計量筒１２の内径又は断面積より小さく形成し、計量筒１２の連絡孔１４Ａ、１４Ｂを上方天面側に位置させ、計量室１２Ａの液体が連絡孔１４Ａ、１４Ｂから残液量の少なくなった容器１１の空間部へ流下することを防止するのが良い。
【００１６】
しかるに、容器１１の残液量が多くても、容器１１内の液体が遮蔽カバー１５の存在によって上連絡孔１４Ａと下連絡孔１４Ｂの側に及ぶことがなく、それらの上連絡孔１４Ａと下連絡孔１４Ｂの間の圧力水頭差に影響を及ぼすことがない。即ち、遮蔽カバー１５は計量筒１２との間に間隔１６を形成しているが近接していることが好ましく、間隔１６は容器１１を傾けたときに容器１１内の液体が遮蔽カバー１５によって上連絡孔１４Ａと下連絡孔１４Ｂの側に及ぶことがない程度、即ち、遮蔽カバー１５と計量筒１２との間で容器１１内の液体と空気の置換が起こりにくい程度に近接している。
【００１７】
遮蔽カバー１５は計量筒１２との間に、遮蔽カバー１５に沿う少なくとも外縁側、本実施例では両外縁側と上端側の３方で容器１１内に連通する間隔１６を形成している。従って、容器１１の傾きによって、遮蔽カバー１５と計量筒１２の間の間隔１６に存在する液体による、上連絡孔１４Ａと下連絡孔１４Ｂの圧力水頭差は小さく、上連絡孔１４Ａ又は下連絡孔１４Ｂから容器１１の側への空気の流入はなく、容器１１内の液体が追加的に計量室１２Ａに流入することがない。これにより、吐出筒１３からの吐出量は計量室１２Ａに計量済の一定量になる。
【００１８】
(3)上述(2)において、容器１１を一挙に傾けると、計量室１２Ａの液体が計量筒１２において上連絡孔１４Ａの最上部よりも上位側（容器１１を傾けた状態では地面側）の筒内スペースに一挙に流下し、吐出筒１３から吐出される。傾けた容器１１の空間に計量筒１２の上連絡孔１４Ａが露出する程度に容器１１の残液量が少なくなっても、計量室１２Ａの計量済液体の一部が上連絡孔１４Ａから容器１１の内部に戻る機会をなくすことができる。これにより、吐出筒１３からの吐出量は計量室１２Ａに計量済の一定量になる。
【００１９】
(4)計量室１２Ａに計量した一定量の液体が上述(2)、(3)により吐出された後、容器１１を立てると、再び上述(1)と同様にして上連絡孔１４Ａから、計量筒１２と遮蔽カバー１５の間隔１６を介して、容器１１内に空気が流入し、同時に容器１１内の液体が、計量筒１２と遮蔽カバー１５の間隔１６を介して、下連絡孔１４Ｂから計量室１２Ａに流入し、一定量の液体が計量室１２Ａに計量される。
【００２０】
従って、本実施例によれば、定量吐出容器１０が遮蔽カバー１５を設けたことにより、容器１１の残液量によらず、計量室１２Ａに計量済の一定量の液体を吐出筒１３から定量吐出できる。
【００２１】
（実施例２）（図４〜図６）
実施例２の定量吐出容器２０は、実施例１の定量吐出容器１０におけると同様の密閉容器１１、計量筒１２、計量室１２Ａ、吐出筒１３、連絡孔１４Ａ、１４Ｂを備え、更に以下の付加筒２１を備える。
【００２２】
定量吐出容器２０は、図４〜図６に示す如く、計量筒１２を全周及び底部において一定の間隔を介して囲む付加筒２１を容器１１内に設ける。付加筒２１は、容器１１を立てたときに、容器１１に充填された液体が容器１１内から該付加筒２１の付加室２１Ａに流入するように、該付加筒２１の上下方向に沿って形成された上下の連絡孔２２Ａ、２２Ｂを備える。付加室２１Ａに流入した液体は、計量筒１２の上下の連絡孔１４Ａ、１４Ｂを通って計量室１２Ａに流入する。
【００２３】
定量吐出容器２０は、付加筒２１の連絡孔２２Ａ、２２Ｂを計量筒１２の周方向において、該計量筒１２の連絡孔１４Ａ、１４Ｂと異なる位置、好ましくは周方向反対側に配置する。これにより、付加筒２１の連絡孔２２Ａ、２２Ｂが設けられていない円弧部分は、容器１１内から視て、計量筒１２の連絡孔１４Ａ、１４Ｂを正面〜側面に渡って遮蔽し、実施例１の定量吐出容器１０において計量筒１２の連絡孔１４Ａ、１４Ｂに対する遮蔽カバー１５と同様な機能を有する。
【００２４】
定量吐出容器２０は、容器１１を立てたときに、付加筒２１の連絡孔２２Ａ、２２Ｂの最上部、換言すれば上連絡孔２２Ａの最上部を、計量筒１２の上連絡孔１４Ａの最上部よりも上位（又は同等以上）に配置する。
【００２５】
定量吐出容器２０は以下の如くに使用される。
(1)計量筒１２の計量室１２Ａと付加筒２１の付加室２１Ａが空の状態で容器１１を立てると、図４に示す如く、上連絡孔２２Ａと下連絡孔２２Ｂの圧力水頭差によって計量筒１２の上連絡孔１４Ａから付加室２１Ａ、上連絡孔２２Ａを通って容器１１内に空気が流入し、同時に容器１１内の液体が付加筒２１の下連絡孔２２Ｂから付加室２１Ａに流入し、更には計量筒１２の下連絡孔１４Ｂから計量室１２Ａに流入する。付加室２１Ａと計量室１２Ａに流入した液体の液面が付加室２１Ａと計量室１２Ａで同一面をなして上昇し、この液面が先ず上連絡孔１４Ａを塞ぐと、付加室２１Ａへの空気の流入がなくなり、同時に下連絡孔１４Ｂから計量室１２Ａへの液体の流入も止まる。これによって、上連絡孔１４Ａの最上部のレベルにより決まる一定量の液体が計量室１２Ａに計量される。
【００２６】
更に、容器１１から下連絡孔２２Ｂと通って付加室２１Ａに流入を続ける液体の液面が上連絡孔２２Ａを塞ぐに至ると、容器１１への空気の流入がなくなり、同時に下連絡孔２２Ｂから付加室２１Ａへの液体の流入も止まる。これによって、上連絡孔２２Ａの最上部のレベルにより決まる一定量の液体が付加室２１Ａに計量される。
【００２７】
このように、計量筒１２の計量室１２Ａと付加筒２１の付加室２１Ａが空の状態で容器１１を立てると、容器１１内の液体は付加室２１Ａに流入し、付加室２１Ａの液体が計量室１２Ａに流入する。このとき、付加室２１Ａの計量レベルは付加筒２１の上連絡孔２２Ａの最上部のレベルにより決まる。そして、付加筒２１の上連絡孔２２Ａの最上部を計量筒１２の上連絡孔１４Ａの最上部よりも上位に配置しているから、計量室１２Ａの計量レベルは計量筒１２の上連絡孔１４Ａの最上部のレベルにより決まるものになる。
【００２８】
(2)容器１１を図５に示す如くに、計量筒１２の上連絡孔１４Ａと下連絡孔１４Ｂが上方天面側（付加筒２１の上連絡孔２２Ａと下連絡孔２２Ｂは下方地面側）に位置するように容器１１を傾けて、計量室１２Ａに計量してある液体を吐出筒１３から吐出するに際し、容器１１の残液量が多くても、容器１１内の液体が遮蔽カバー的に機能する付加筒２１の存在によって上連絡孔１４Ａと下連絡孔１４Ｂの側に及ぶことがなく、それらの上連絡孔１４Ａと下連絡孔１４Ｂの間の圧力水頭差に影響を及ぼすことがない。従って、容器１１の傾きによって、付加筒２１と計量筒１２の間の間隔２３に存在する液体による、上連絡孔１４Ａと下連絡孔１４Ｂの圧力水頭差は小さく、上連絡孔１４Ａ又は下連絡孔１４Ｂから容器１１の側への空気の流入はなく、容器１１内の液体が追加的に計量室１２Ａに流入することがない。吐出筒１３からの吐出量は計量室１２Ａに計量済の一定量（少量）になる。
【００２９】
(3)付加筒２１の上連絡孔２２Ａと下連絡孔２２Ｂが上方天面側に位置するように、容器１１を図６に示す如くに傾ければ、付加室２１Ａと計量室１２Ａの両方に計量してある多量の液体を吐出筒１３から吐出するものになる。
【００３０】
(4)上述(2)、(3)において、容器１１を一挙に傾けると、計量室１２Ａの液体が計量筒１２において上連絡孔１４Ａの最上部よりも上位側（容器１１を傾けた状態では地面側）の少ないスペースに一挙に流下し、吐出筒１３から吐出される。傾けた容器１１の空間に計量筒１２の上連絡孔１４Ａが露出する程度に容器１１の残液量が少なくなっても、計量室１２Ａの計量済液体の一部が上連絡孔１４Ａから容器１１の内部に戻る機会をなくすことができる。吐出筒１３からの吐出量は計量室１２Ａに計量済の一定量になる。
【００３１】
(5)計量室１２Ａ、付加室２１Ａに計量した一定量の液体が上述(2)〜(4)により吐出された後、容器１１を立てると、再び上述(1)と同様にして、計量室１２Ａ、付加室２１Ａのそれぞれに一定量の液体が計量される。
【００３２】
従って、本実施例によれば、定量吐出容器２０が付加筒２１を設けたことにより、容器１１の残液量によらず、計量室１２Ａ、付加室２１Ａに計量済の一定量の液体を吐出筒１３から定量吐出できる。
【００３３】
定量吐出容器２０において、容器１１内において、付加筒２１の連絡孔２２Ａ、２２Ｂの前面から側方に渡って遮蔽する遮蔽カバーを設け、遮蔽カバーが付加筒２１との間に間隔を形成してなるものでも良い。また、定量吐出容器２０は、吐出筒１３の吐出口１３Ａは、連絡孔１４Ａ、１４Ｂを上方天面側に位置させて容器１１を傾けたときは少量吐出させ、連絡孔２２Ａ、２２Ｂを上方天面側に位置させて容器１１を傾けたときとは大量吐出をさせることができるので、少量吐出と大量吐出をさせるときの各々の吐出方向を理解できるように、吐出筒１３の吐出口１３Ａの周縁には、各々の吐出方向において吐出口１３Ａの周縁を切り欠いたり、突出させた注ぎ口を形成することが好ましい。
【００３４】
定量吐出容器１０、２０において、計量筒１２の連絡孔１４Ａ、１４Ｂ、付加筒２１の連絡孔２２Ａ、２２Ｂは上下方向に沿って連続する１個のスリットに代えることもできる。
【図面の簡単な説明】
【００３５】
【図１】図１は実施例１の定量吐出容器を示す模式斜視図である。
【図２】図２は定量吐出容器の正立状態を示す模式断面図である。
【図３】図３は定量吐出容器の吐出状態を示す模式断面図である。
【図４】図４は実施例２の定量吐出容器の正立状態を示す模式断面図である。
【図５】図５は定量吐出容器の少量吐出状態を示す模式断面図である。
【図６】図６は定量吐出容器の多量吐出状態を示す模式断面図である。
【図７】図７は計量筒の上端部の形状を示す模式図である。
【図８】図８は従来の定量吐出容器において残液量が多い状態を示す模式図である。
【図９】図９は従来の定量吐出容器において残液量が少ない状態を示す模式図である。
【符号の説明】
【００３６】
１０  定量吐出容器
１１  容器
１２  計量筒
１２Ａ  計量室
１３  吐出筒
１４Ａ、１４Ｂ  連絡孔
１５  遮蔽カバー
１６  間隔
２０  定量吐出容器
２１  付加筒
２１Ａ  付加室
２２Ａ、２２Ｂ  連絡孔
【図１】
2008030772.tif 000003
【図２】
2008030772.tif 000004
【図３】
2008030772.tif 000005
【図４】
2008030772.tif 000006
【図５】
2008030772.tif 000007
【図６】
2008030772.tif 000008
【図７】
2008030772.tif 000009
【図８】
2008030772.tif 000010
【図９】
2008030772.tif 000011